(57)【要約】【課題】個人のプライバシーを損なうことなく、携帯端末装置に他の携帯端末装置の位置情報を提供できる通信方法を提供する。【解決手段】携帯電話装置４1 から携帯電話装置４2 に位置情報要求を送信し、携帯電話装置４2 において、携帯電話装置４1 への位置情報の送信が許諾されている場合に、携帯電話装置４2 から４1 にＧＰＳ用衛星群３を用いて得た携帯電話装置４2 の位置情報を送信する。携帯電話装置４1 は、受信した位置情報に応じて携帯電話装置４2 の位置を地図上で特定した表示画面を出力する。【選択図】図１
2010213304.tif 000002
【特許請求の範囲】
【請求項１】
通信装置とサービス提供装置との間で通信制御装置を介して通信を行う通信方法であって、
前記通信装置の識別情報と、前記通信装置の位置情報と、利用したいサービスを識別するサービス識別情報と共にサービス要求を前記通信装置から前記通信制御装置に送信し、
前記通信制御装置において、前記サービス識別情報に対応するサービス提供装置を特定し、当該特定したサービス提供装置に、前記受信した前記通信装置の位置情報を送信し、
前記サービス提供装置において、受信した前記位置情報を用いてサービス情報を生成し、前記サービス情報を前記通信制御装置に送信し、
前記通信制御装置は、受信した前記サービス情報を、前記通信装置の識別情報に基づいて、前記通信装置に送信する
通信方法。
【請求項２】
前記通信装置は、自らの位置を特定するための位置検出用信号を受信し、当該位置検出用信号を用いて前記位置情報を生成する
請求項１に記載の通信方法。
【請求項３】
前記通信装置のユーザの属性情報を、前記通信装置から前記通信制御装置に送信する
請求項１に記載の通信方法。
【請求項４】
前記ユーザが属性情報を入力する形式を指定したテンプレートデータを前記通信制御装置から前記通信装置に送信し、前記通信装置において、前記テンプレートデータが指定する形式で前記属性情報を作成する
請求項３に記載の通信方法。
【請求項５】
前記サービス情報の生成に用いられる情報を前記通信装置から前記通信制御装置に送信し、
前記通信制御装置は、前記通信装置から受信した前記サービス情報の生成に用いられる情報を前記サービス提供装置に送信する
請求項１に記載の通信方法。
【請求項６】
前記通信制御装置を介して前記サービス提供装置から前記通信装置に、前記サービス情報の生成に用いられる情報を入力するためのテンプレートデータを送信し、前記通信装置は、受信した前記テンプレートデータによって指定された形式で前記サービス情報を作成する
請求項５に記載の通信方法。
【請求項７】
前記通信装置のユーザは、前記サービス要求を送信する前に、前記サービスを受けるための登録を前記サービス提供装置の管理者に事前に行う
請求項１に記載の通信方法。
【請求項８】
前記サービス提供装置の管理者は、前記登録に応じて、前記通信装置のユーザに対しての課金を行う
請求項７に記載の通信方法。
【請求項９】
前記通信制御装置の管理者は、前記登録に応じて、前記通信装置のユーザおよび前記サービス提供装置の管理者に対しての課金を行う
請求項７に記載の通信方法。
【請求項１０】
前記サービス提供装置の管理者は、前記サービス提供装置から前記通信装置への前記サービス情報の送信に応じて、前記通信装置のユーザに対しての課金を行う
請求項１に記載の通信方法。
【請求項１１】
前記通信制御装置の管理者は、前記サービス提供装置から前記通信装置への前記サービス情報の送信に応じて、前記通信装置のユーザに対しての課金を行う
請求項１に記載の通信方法。
【請求項１２】
前記通信制御装置の管理者は、従量制で、前記通信装置のユーザに対しての課金を行う
請求項１に記載の通信方法。
【請求項１３】
前記サービス提供装置の管理者と契約した第三者が、前記サービス提供装置による前記サービスの提供について、前記通信装置のユーザに対しての課金を行う
請求項１に記載の通信方法。
【請求項１４】
前記通信制御装置の管理者は、前記サービス提供装置によるサービスによって得られたユーザに関する情報を前記サービス提供装置の管理者から受ける場合に、前記通信制御装置の管理者が前記サービス提供装置の管理者に課金する額を割り引く
請求項１に記載の通信方法。
【請求項１５】
前記通信制御装置の管理者は、従量制で、前記通信装置のユーザに対しての課金を行う
請求項１４に記載の通信方法。
【請求項１６】
前記通信装置は、携帯型の通信装置である
請求項１に記載の通信方法。
【請求項１７】
通信装置とサービス提供装置との間で通信制御装置を介して通信を行う通信システムであって、
前記通信装置の識別情報と、前記通信装置の位置情報と、利用したいサービスを識別するサービス識別情報と共にサービス要求を前記通信装置から前記通信制御装置に送信し、
前記通信制御装置において、前記サービス要求と共に受信した情報を記憶し、前記サービス識別情報に対応するサービス提供装置を特定し、当該特定したサービス提供装置に、前記受信した前記通信装置の位置情報を送信し、
前記サービス提供装置において、受信した前記位置情報を用いて位置情報を提供するサービス情報を生成し、前記サービス情報を前記通信制御装置に送信し、
前記通信制御装置は、受信した前記サービス情報を、前記通信装置の識別情報に基づいて、前記通信装置に送信する
通信システム。
【発明の詳細な説明】
【技術分野】
【０００１】
本発明は、一の通信装置が、他の通信装置のユーザが許諾していることを条件に、当該他の通信装置の位置情報を得ることができる通信方法と、当該通信方法に用いられる通信装置に関する。
また、本発明は、携帯型の通信装置の位置情報を提供する位置情報提供装置およびその方法と、当該通信装置の位置情報を用いたサービスを提供する通信方法およびそのシステムに関する。
【背景技術】
【０００２】
従来から、携帯端末装置などに、当該携帯端末装置の位置を特定するための情報を提供するＧＰＳ(Global Positioning System) などが知られている。
ＧＰＳでは、ＧＰＳ用衛星から発信されたＧＰＳ用信号を携帯端末装置が受信し、携帯端末装置内で、当該受信したＧＰＳ用信号を用いて自らの位置を特定している。
【発明の概要】
【発明が解決しようとする課題】
【０００３】
近年、このようなＧＰＳを用いて、各携帯端末装置で他の携帯端末装置の位置情報を得たいという要請がある。
しかしながら、携帯端末装置の位置情報は個人のプライバシーに係わるものであり、他人の携帯端末装置の位置情報を無条件に提供すると、当該他人のプライバシーを害してしまうとういう問題がある。
【０００４】
また、従来では、ネットワークを介して何らかのサービスの提供を受ける場合には、通常、通信装置のＩＤを当該サービス提供先の装置に送信するため、当該ＩＤが他人に流出し、不必要な広告などの電子メ−ルなどを送られることがあるという問題がある。
【０００５】
本発明は上述した従来技術の問題点に鑑みてなされ、個人のプライバシーを損なうことなく、携帯端末装置に他の携帯端末装置の位置情報を提供できる通信方法と、当該通信方法に用いられる通信装置および管理装置を提供することを目的とする。
【０００６】
また、本発明は、他人が所有する通信装置の位置情報を、当該他人のプライバシーを侵害することなく提供する位置情報提供方法およびその装置、通信方法およびそのシステムを提供することを目的とする。
また、本発明は、サービス要求元の通信装置の識別情報を、サービス提供先に与えることなく、当該サービス提供先によるサービスを当該通信装置が受けることができる通信方法およびそのシステムを提供することを目的とする。
【課題を解決するための手段】
【０００７】
上述した従来技術の問題点を解決し、上述した目的を達成するために、第１の発明の通信方法は、第１の通信装置と第２の通信装置との間の通信方法であって、前記第１の通信装置から前記第２の通信装置に、前記第２の通信装置の位置情報を要求し、前記第２の通信装置から前記第１の通信装置への前記位置情報の送信が許諾されている場合に、前記第２の通信装置から前記第１の通信装置に前記位置情報を送信する。
第１の発明の通信方法では、前記第２の通信装置から前記第１の通信装置への前記位置情報の送信が許諾されていることを条件に、第２の通信装置の位置情報を、第２の通信装置から第１の通信装置に送信するため、第２の通信装置のユーザのプライバシーを保護できる。
【０００８】
本発明においては、通信装置とサービス提供装置との間で通信制御装置を介して通信を行う通信方法であって、前記通信装置の識別情報と、前記通信装置の位置情報と、利用したいサービスを識別するサービス識別情報と共にサービス要求を前記通信装置から前記通信制御装置に送信し、前記通信制御装置において、前記サービス識別情報に対応するサービス提供装置を特定し、当該特定したサービス提供装置に、前記受信した前記通信装置の位置情報を送信し、前記サービス提供装置において、受信した前記位置情報を用いてサービス情報を生成し、前記サービス情報を前記通信制御装置に送信し、前記通信制御装置は、受信した前記サービス情報を、前記通信装置の識別情報に基づいて、前記通信装置に送信する通信方法が提供される。
【０００９】
好ましくは、前記通信装置は、自らの位置を特定するための位置検出用信号を受信し、当該位置検出用信号を用いて前記位置情報を生成する。
【００１０】
好ましくは、前記通信装置のユーザの属性情報を、前記通信装置から前記通信制御装置に送信する。
【００１１】
好ましくは、前記ユーザが属性情報を入力する形式を指定したテンプレートデータを前記通信制御装置から前記通信装置に送信し、前記通信装置において、前記テンプレートデータが指定する形式で前記属性情報を作成する。
【００１２】
好ましくは、前記サービス情報の生成に用いられる情報を前記通信装置から前記通信制御装置に送信し、前記通信制御装置は、前記通信装置から受信した前記サービス情報の生成に用いられる情報を前記サービス提供装置に送信する。
【００１３】
好ましくは、前記通信制御装置を介して前記サービス提供装置から前記通信装置に、前記サービス情報の生成に用いられる情報を入力するためのテンプレートデータを送信し、前記通信装置は、受信した前記テンプレートデータによって指定された形式で前記サービス情報を作成する。
【００１４】
好ましくは、前記通信装置のユーザは、前記サービス要求を送信する前に、前記サービスを受けるための登録を前記サービス提供装置の管理者に事前に行う。
【００１５】
好ましくは、前記サービス提供装置の管理者は、前記登録に応じて、前記通信装置のユーザに対しての課金を行う。
【００１６】
好ましくは、前記通信制御装置の管理者は、前記登録に応じて、前記通信装置のユーザおよび前記サービス提供装置の管理者に対しての課金を行う。
【００１７】
好ましくは、前記サービス提供装置の管理者は、前記サービス提供装置から前記通信装置への前記サービス情報の送信に応じて、前記通信装置のユーザに対しての課金を行う。
【００１８】
好ましくは、前記通信制御装置の管理者は、前記サービス提供装置から前記通信装置への前記サービス情報の送信に応じて、前記通信装置のユーザに対しての課金を行う。
【００１９】
好ましくは、前記通信制御装置の管理者は、従量制で、前記通信装置のユーザに対しての課金を行う。
【００２０】
好ましくは、前記サービス提供装置の管理者と契約した第３者が、前記サービス提供装置による前記サービスの提供について、前記通信装置のユーザに対しての課金を行う。
【００２１】
好ましくは、前記通信制御装置の管理者は、前記サービス提供装置によるサービスによって得られた前記ユーザに関する情報を前記サービス提供装置の管理者から受ける場合に、前記通信制御装置の管理者が前記サービス提供装置の管理者に課金する額を割り引く。
【００２２】
好ましくは、前記通信制御装置の管理者は、従量制で、前記通信装置のユーザに対しての課金を行う。
【００２３】
好ましくは、前記通信装置は、携帯型の通信装置である。
【００２４】
本発明においては、通信装置とサービス提供装置との間で通信制御装置を介して通信を行う通信システムであって、前記通信装置の識別情報と、前記通信装置の位置情報と、利用したいサービスを識別するサービス識別情報と共にサービス要求を前記通信装置から前記通信制御装置に送信し、前記通信制御装置において、前記サービス要求と共に受信した情報を記憶し、前記サービス識別情報に対応するサービス提供装置を特定し、当該特定したサービス提供装置に、前記受信した前記通信装置の位置情報を送信し、前記サービス提供装置において、受信した前記位置情報を用いて位置情報を提供するサービス情報を生成し、前記サービス情報を前記通信制御装置に送信し、前記通信制御装置は、受信した前記サービス情報を、前記通信装置の識別情報に基づいて、前記通信装置に送信する通信システムが提供される。
【発明の効果】
【００２５】
以上説明したように、本発明によれば、個人のプライバシーを損なうことなく、通信装置に他の通信装置の位置情報を提供する通信方法と、当該通信方法に用いられる通信装置および管理装置を提供できる。
また、本発明によれば、希望する属性を持つユーザの通信装置の位置情報を提供する通信方法および管理装置を提供できる。
また、本発明によれば、希望する属性を持つユーザにのみ、自らの位置情報を提供できる通信方法および管理装置を提供できる。
【００２６】
また、本発明によれば、他人が所有する通信装置の位置情報を、当該他人のプライバシーを侵害することなく提供できる。
また、本発明によれば、サービス要求元の通信装置の識別情報を、サービス提供装置に与えることなく、当該サービス提供装置によるサービスを当該通信装置が受けることができる。
【図面の簡単な説明】
【００２７】
【図１】図１は、本発明の第１実施形態の通信システムの全体構成図である。
【図２】図２は、図１に示す携帯電話装置の機能ブロック図である。
【図３】図３は、図１に示す通信システムの全体動作を説明するためのフローチャートである。
【図４】図４は、図３に示すステップＳＴ６，ＳＴ７の処理の詳細を説明するためのフローチャートである。
【図５】図５は、図２に示す表示部の表示画面の一例を説明するための図である。
【図６】図６は、本発明の第２実施形態の通信システムの全体構成図である。
【図７】図７は、図６に示す携帯電話装置の機能ブロック図である。
【図８】図８は、図６に示す管理装置の機能ブロック図である。
【図９】図９は、図６に示す通信システムの全体動作を説明するためのフローチャートである。
【図１０】図１０は、図６に示す通信システムの全体動作を説明するためのフローチャートである。
【図１１】図１１は、本発明の第３実施形態の通信システムの全体構成図である。
【図１２】図１２は、図１１に示す携帯電話装置の機能ブロック図である。
【図１３】図１３は、図１１に示す管理装置の機能ブロック図である。
【図１４】図１４は、図１１に示す通信システムの全体動作を説明するためのフローチャートである。
【図１５】図１５は、図１１に示す通信システムの全体動作を説明するためのフローチャートである。
【図１６】図１６は、本発明の第４実施形態の通信システムの全体構成図である。
【図１７】図１７は、図１６に示す携帯通信装置の機能ブロック図である。
【図１８】図１８は、図１６に示す位置情報サービス提供装置の機能ブロック図である。
【図１９】図１９は、図１６に示す携帯通信装置からのグループ登録要求に応じて、位置情報サービス提供装置が、相互に位置情報の提供を許諾する複数の携帯通信装置４からなるグループを登録する場合の手順を説明するためのフローチャートである。
【図２０】図２０は、図１６に示す携帯通信装置が位置情報サービス提供装置に位置登録要求を送信した場合の手順を説明するためのフローチャートである。
【図２１】図２１は、図１６に示す携帯通信装置が位置情報サービス提供装置に位置情報要求を送信した場合の手順を説明するためのフローチャートである。
【図２２】図２２は、本発明の第５実施形態の通信システムの全体構成図である。
【図２３】図２３は、図２２に示す携帯通信装置の機能ブロック図である。
【図２４】図２４は、図２２に示すサービス提供装置の機能ブロック図である。
【図２５】図２５は、図２２に示す通信制御装置の機能ブロック図である。
【図２６】図２６は、図２２に示す通信システムの動作を説明するためのフローチャートである。
【図２７】図２７は、図２２に示す通信システムの動作を説明するためのフローチャートである。
【図２８】図２８は、図２２に示す通信システムにおける課金処理を説明するための図である。
【図２９】図２９は、図２２に示す携帯通信装置に送信される属性情報を入力するためのユーザ送信用テンプレートデータを説明するための図である。
【図３０】図３０は、図２９に示すユーザ送信用テンプレートデータが携帯通信装置に送信される手順を説明するためのフローチャートである。
【発明を実施するための形態】
【００２８】
以下、本発明の実施形態に係わる通信システムについて説明する。
第１実施形態
図１は、本実施形態の通信システム１の全体構成図である。
図１に示すように、本実施形態の通信システム１は、例えば、携帯電話用通信網２を介して携帯電話装置４1，４2 が接続されている。
また、携帯電話装置４1 ，４2 は、ＧＰＳ(Global Positioning System) 用衛星群３からＧＰＳ用信号を受信する
当該第１実施形態は、第１の発明の通信方法に対応している。
また、携帯電話装置４1 が第１の発明の第１の通信装置および第２の発明の通信装置に対応している。
また、携帯電話装置４2 が第１の発明の第２の通信装置および第３の発明の通信装置に対応している。
【００２９】
〔携帯電話用通信網２〕
携帯電話用通信網２は、基地局、中継装置および交換局などからなる携帯電話用の通信網である。
【００３０】
〔ＧＰＳ用衛星群３〕
ＧＰＳ用衛星群３は、複数のＧＰＳ用衛星からなり、各ＧＰＳ用衛星が位置特定用のＧＰＳ用信号を発信している。
【００３１】
〔携帯電話装置４1 ，４2 〕
本実施形態では、例えば、ユーザＡが携帯電話装置４1 を使用し、ユーザＢが携帯電話装置４2 を使用する。
図２は、携帯電話装置４1 ，４2 の機能ブロック図である。
図２に示すように、携帯電話装置４1 ，４2 は、例えば、ＧＰＳ用受信部１０、電話用送受信部１１、操作部１２、記憶部１３、処理部１４および表示部１５を有する。
ＧＰＳ用受信部１０は、ＧＰＳ用衛星群３の複数のＧＰＳ用衛星からＧＰＳ用信号を受信し、これを処理部１４に出力する。
電話用送受信部１１は、携帯電話用通信網２を介して、他の携帯電話装置との間で情報の送受信を行う。電話用送受信部１１が送受信を行う情報は、処理部１４に入出力される。
【００３２】
操作部１２は、ダイヤルボタンや音声などで、後述するように、ユーザが位置情報要求指示および許諾指示などを入力できる。
【００３３】
記憶部１３は、地図情報などを記憶し、内蔵メモリ、あるいは着脱可能に携帯電話装置４1 ，４2 に装着可能なメモリである。
【００３４】
処理部１４は、後述するように、操作部１２の操作などに応じて、位置情報要求の生成や、位置情報の送信の許諾有無の判断などを行う。
また、処理部１４は、電話用送受信部１１が受信した問い合わせに応じた表示信号の生成などを行う。
表示部１５は、処理部１４が生成した表示信号に応じた画面表示を行う。表示部１５は、表示信号に応じて、画面上の任意の位置に、任意の図形やＪＩＳ(Japanese Industrial Standards) 第１水準記号を任意の色で表示できる。
【００３５】
以下、通信システム１の全体動作を図２に示す携帯電話装置４1 ，４2 の各機能ブロックの処理と関連付けながら説明する。
図３は、当該動作を説明するためのフローチャートである。
ステップＳＴ１：
ユーザＡによる携帯電話装置４1 の図２に示す操作部１２の操作に応じて、位置情報を得ることを希望する携帯電話装置４2 の通信ＩＤ（例えば、電話番号）と、位置情報要求指示とが携帯電話装置４1 に入力される。
これにより、携帯電話装置４1 の処理部１４の制御に基づいて、電話用送受信部１１および携帯電話用通信網２を介して、携帯電話装置４1 の通信ＩＤと、位置情報要求とが携帯電話装置４2 に送信される。
【００３６】
ステップＳＴ２：
携帯電話装置４1 からの携帯電話装置４1 の通信ＩＤと位置情報要求とが、携帯電話装置４2 の図２に示す電話用送受信部１１で受信される。
そして、携帯電話装置４2 の処理部１４において、当該受信した携帯電話装置４1 の通信ＩＤと位置情報要求とに応じて、携帯電話装置４2 の位置情報を携帯電話装置４1 に送信することが許諾されているか否かが判断される。
当該許諾の有無は、例えば、携帯電話装置４2 の表示部１５に、携帯電話装置４1 の通信ＩＤと、携帯電話装置４1 への位置情報の送信を許諾するか否かの問い合わせとを表示し、ユーザＢによる操作部１２の操作に応じて、その許諾の有無を判断する。また、ユーザＢが、操作部１２を操作して、予め携帯電話装置４1 に対しての許諾を入力してもよい。
【００３７】
ステップＳＴ３：
ステップＳＴ２において許諾が無いと判断された場合にはステップＳＴ４の処理が行われ、許諾が有ると判断された場合にはステップＳＴ５の処理が行われる。
【００３８】
ステップＳＴ４：
携帯電話装置４2 の処理部１４において、許諾が無い旨の通知が生成され、当該通知が電話用送受信部１１および携帯電話用通信網２を介して、携帯電話装置４1 に送信される。
当該通知は、携帯電話装置４1 の電話用送受信部１１で受信され、その内容が表示部１５に表示される。
【００３９】
ステップＳＴ５：
携帯電話装置４2 の処理部１４において、ＧＰＳ用受信部１０が受信した複数のＧＰＳ用衛星からのＧＰＳ用信号を用いて、携帯電話装置４2 の位置情報が生成され、当該位置情報が、電話用送受信部１１および携帯電話用通信網２を介して、携帯電話装置４1 に送信される。
なお、携帯電話装置４2 は、ＧＰＳ用受信部１０が受信した複数のＧＰＳ用衛星からのＧＰＳ用信号を、そのまま位置情報として携帯電話装置４1 に送信してもよい。
【００４０】
ステップＳＴ６：
携帯電話装置４1 の処理部１４において、ステップＳＴ５で受信した携帯電話装置４2 の位置情報と、ＧＰＳ用受信部１０が受信した複数のＧＰＳ用衛星からのＧＰＳ用信号から得られた携帯電話装置４1 の位置情報とを用いて、携帯電話装置４1 と４2 との位置関係を示す表示信号が生成される。
【００４１】
ステップＳＴ７：
携帯電話装置４1 の処理部１４で生成された表示信号が、表示部１５に出力され、当該位置関係情報に応じた表示画面が表示部１５に出力される。
【００４２】
以下、図３に示すステップＳＴ６，ＳＴ７の処理の詳細を説明する。
図４は、図３に示すステップＳＴ６，ＳＴ７の処理の詳細を説明するためのフローチャートである。
ステップＳＴ１１：
携帯電話装置４1 の処理部１４において、ステップＳＴ５で受信した携帯電話装置４2 の位置情報と、ＧＰＳ用受信部１０が受信した複数のＧＰＳ用衛星からのＧＰＳ用信号から得られた携帯電話装置４1 の位置情報とを用いて、携帯電話装置４1 と４2 との位置関係、例えば、携帯電話装置４1 と４2 との間の距離などが計算される。
【００４３】
ステップＳＴ１２：
携帯電話装置４1 の処理部１４において、ステップＳＴ１１の結果などを用いて、携帯電話装置４1 ，４2 の位置を地図上で表示するのに必要な地図情報を特定する。
【００４４】
ステップＳＴ１３：
携帯電話装置４1 の処理部１４が、ステップＳＴ１２で特定した地図情報を、記憶部１３から読み込んだり、あるいは、携帯電話用通信網２に接続された所定のサーバ装置から電話用送受信部１１を介してダウンロードする。
【００４５】
ステップＳＴ１４：
携帯電話装置４1 の処理部１４において、ステップＳＴ１１で求めた携帯電話装置４1 と４2 との位置関係、並びにステップＳＴ１３で読み込んだ地図情報を用いて、携帯電話装置４1 と４2 との関係を地図上で示した表示信号が生成される。
【００４６】
ステップＳＴ１５：
携帯電話装置４1 の処理部１４から表示部１５に、ステップＳＴ１４で生成された表示信号が出力される。
これにより、例えば、図５（Ａ）に示すように、地図上で携帯電話装置４1 および４2 の位置を特定する表示を含む表示画面が携帯電話装置４1 の表示部１５に出力される。図５（Ａ）に示す地図では、駅２０の構内にユーザＡが位置し、近所の公園２１内にユーザＢが位置していることを示されている。
なお、処理部１４は、携帯電話装置４2 の位置のみを特定して、例えば、図５（Ｂ）に示すように、携帯電話装置４2 の位置のみを地図上に表示する表示信号を生成してもよい。
【００４７】
ステップＳＴ１６：
携帯電話装置４1 の処理部１４は、操作部１２から地図の変更指示、例えば、拡大あるいは縮小などの指示があった場合には、ステップＳＴ１２の処理に戻って、当該指示に応じた地図情報を新たに特定する。
【００４８】
以上説明したように、通信システム１によれば、携帯電話装置４2 のユーザの許諾が得られていることを条件に、携帯電話装置４2 の位置情報が携帯電話装置４1 に提供されるため、携帯電話装置４2 のユーザのプライバシーを侵害することなく、携帯電話装置４1 に携帯電話装置４2 の位置情報を提供できる。
また、通信システム１によれば、携帯電話装置４1 の表示部１５に、例えば、図５に示すような形式で、携帯電話装置４2 の位置が地図上に表示されるため、携帯電話装置４1 のユーザは、携帯電話装置４2 の位置を容易に把握できる。
【００４９】
第２実施形態
本実施形態では、位置情報の要求元のユーザが、通信ＩＤを予め知っている特定の相手との間で通信を行う場合を例示する。
図６は、本実施形態の通信システム３１の全体構成図である。
図６に示すように、本実施形態の通信システム３１は、例えば、携帯電話用通信網２を介して携帯電話装置３４1 ，３４2 および管理装置３５が接続されている。
また、携帯電話装置３４1 ，３４2 は、ＧＰＳ用衛星群３からＧＰＳ用信号を受信する
図６において、図１と同一符号を付した携帯電話用通信網２およびＧＰＳ用衛星群３は、第１実施形態で説明したものと同じである。
なお、第２実施形態は、第４の発明の通信方法に対応しており、管理装置３５が第６の発明の管理装置に対応している。
また、携帯電話装置３４1 が第４および第５の発明の第１の通信装置に対応し、携帯電話装置３４2 が第４および第５の発明の第２の通信装置に対応している。
【００５０】
以下、図６に示す携帯電話装置３４1 ，３４2 および管理装置３５について説明する。
〔携帯電話装置３４1 ，３４2 〕
本実施形態では、携帯電話装置３４1 はユーザＡによって使用され、携帯電話装置３４2 はユーザＢによって使用される。
図７は、携帯電話装置３４1 ，３４2 の機能ブロック図である。
図７に示すように、携帯電話装置３４1 ，３４2 は、例えば、ＧＰＳ用受信部４０、電話用送受信部４１、操作部４２、記憶部４３、処理部４４および表示部４５を有する。
ＧＰＳ用受信部４０は、ＧＰＳ用衛星群３の複数のＧＰＳ用衛星からＧＰＳ用信号を受信し、これを処理部４４に出力する。
電話用送受信部４１は、携帯電話用通信網２を介して、他の携帯電話装置および管理装置３５との間で情報の送受信を行う。電話用送受信部４１が送受信を行う情報は、処理部４４に入出力される。
【００５１】
操作部４２は、ダイヤルボタンや音声などで、後述するように、ユーザが位置情報要求指示および許諾指示などを入力できる。
【００５２】
処理部４４は、後述するように、操作部４２の操作などに応じて、位置情報要求の生成や、位置情報の送信の許諾有無の判断などを行う。
また、処理部４４は、電話用送受信部４１が受信した問い合わせに応じた表示信号の生成などを行う。
表示部４５は、処理部４４が生成した表示信号に応じた画面表示を行う。表示部４５は、表示信号に応じて、画面上の任意の位置に、任意の図形やＪＩＳ第１水準記号を任意の色で表示できる。
【００５３】
〔管理装置３５〕
図８は、管理装置３５の機能ブロック図である。
図８に示すように、管理装置３５は、例えば、電話用送受信部５１、処理部５２および記憶部５３を有する。
【００５４】
電話用送受信部５１は、携帯電話装置３４1 ，３４2 から位置情報要求を受信し、それに応じて携帯電話装置３４2 ，３４1 に位置情報の送信の許諾有無の問い合わせを送信する。
また、電話用送受信部５１は、当該問い合わせに応じた回答を、携帯電話装置３４1 ，３４2 から受信する。
また、電話用送受信部５１は、記憶部５３から読み出された携帯電話装置３４2 ，３４1 の位置情報を、携帯電話装置３４1 ，３４2 に送信する。
【００５５】
記憶部５３は、携帯電話装置３４1 ，３４2 から受信した位置情報を、当該携帯電話装置３４1 ，３４2 の通信ＩＤと関連付けて記憶する。
【００５６】
処理部５２は、電話用送受信部５１が受信した位置情報要求に応じて、許諾有無の問い合わせを生成する。
また、処理部５２は、当該問い合わせに対する回答に応じて、所定の位置情報を記憶部５３から読み出す。
【００５７】
以下、通信システム５１の全体動作を図７に示す携帯電話装置３４1 ，３４2
および図８に示す管理装置３５の各機能ブロックの処理と関連付けながら説明する。
図９および図１０は、当該動作を説明するためのフローチャートである。
ステップＳＴ３１：
ユーザＡによる携帯電話装置３４1 の図７に示す操作部４２の操作に応じて、携帯電話装置３４2 の通信ＩＤと、位置情報要求指示とが携帯電話装置３４1 に入力される。
また、携帯電話装置３４1 のＧＰＳ用受信部４０で受信されたＧＰＳ用信号に基づいて、携帯電話装置３４1 の位置情報が生成される。
そして、携帯電話装置３４1 の処理部４４の制御に基づいて、電話用送受信部４１および携帯電話用通信網２を介して管理装置３５に、携帯電話装置３４2 の通信ＩＤを含む位置情報要求と、携帯電話装置３４1 の位置情報と、携帯電話装置３４1 の通信ＩＤとが送信される。
【００５８】
ステップＳＴ３２：
管理装置３５の電話用送受信部５１において、携帯電話装置３４1 が送信した、携帯電話装置３４2 の通信ＩＤを含む位置情報要求と、携帯電話装置３４1 の位置情報と、携帯電話装置３４1 の通信ＩＤとが受信される。
そして、処理部５２の制御に基づいて、当該受信された携帯電話装置３４1 の位置情報と、携帯電話装置３４1 の通信ＩＤとが関連付けて記憶部５３に記憶される。
【００５９】
ステップＳＴ３３：
管理装置３５の処理部５２において、ステップＳＴ３１で受信した位置情報要求に含まれる携帯電話装置３４2 の通信ＩＤに対応する位置情報が記憶部５３に記憶されているか否かが判断される。
【００６０】
ステップＳＴ３４：
管理装置３５の処理部５２において、ステップＳＴ３３で記憶されていないと判断された場合にはステップＳＴ３５の処理が行われ、記憶されていると判断された場合にはステップＳＴ３６の処理が行われる。
【００６１】
ステップＳＴ３５：
管理装置３５の処理部５２において、携帯電話装置３４2 の位置情報が無い旨の通知が生成され、当該通知が電話用送受信部５１および携帯電話用通信網２を介して携帯電話装置３４1 に送信される。
【００６２】
ステップＳＴ３６：
管理装置３５の処理部５２において、位置情報の送信の許諾有無の問い合わせが生成され、当該問い合わせが電話用送受信部５１および携帯電話用通信網２を介して携帯電話装置３４2 に送信される。
当該問い合わせは、携帯電話装置３４2 の図７に示す電話用送受信部４１で受信され、携帯電話装置４2 の処理部１４の処理に基づいて、当該受信した問い合わせに含まれる携帯電話装置３４1 の通信ＩＤと、携帯電話装置３４1 への位置情報の送信を許諾するか否かの問い合わせとが表示部４５に表示される。
そして、ユーザＢによる操作部４２の操作に応じて、許諾の有無を示す応答が携帯電話装置３４2 の処理部４４で生成され、当該応答が電話用送受信部４１および携帯電話用通信網２を介して、管理装置３５に送信される。
【００６３】
ステップＳＴ３７：
携帯電話装置３４2 が送信した応答は、管理装置３５の電話用送受信部５１で受信され、当該応答が許諾を行わない旨を示す場合にはステップＳＴ３８の処理が行われ、当該応答が許諾を行う旨を示す場合にはステップＳＴ３９の処理が行われる。
【００６４】
ステップＳＴ３８：
管理装置３５の処理部５２において、許諾が無い旨の通知が生成され、当該通知が電話用送受信部５１および携帯電話用通信網２を介して、携帯電話装置３４1 に送信される。
当該通知は、携帯電話装置３４1 の電話用送受信部４１で受信され、その内容が表示部４５に表示される。
【００６５】
ステップＳＴ３９：
管理装置３５の処理部５２において、記憶部５３に携帯電話装置３４2 の通信ＩＤと関連付けて記憶されている位置情報が、電話用送受信部５１および携帯電話用通信網２を介して、携帯電話装置３４1 に送信される。
【００６６】
ステップＳＴ４０：
携帯電話装置３４1 の処理部４４において、ステップＳＴ３９で受信した携帯電話装置３４2 の位置情報と、ＧＰＳ用受信部４０が受信した複数のＧＰＳ用衛星からのＧＰＳ用信号から得られた携帯電話装置３４1 の位置情報とを用いて、携帯電話装置３４1 と３４2 との位置関係を示す表示信号が生成される。
【００６７】
ステップＳＴ４１：
携帯電話装置３４1 の処理部４４で生成された表示信号が、表示部４５に出力され、当該位置関係情報に応じた表示画面が表示部４５に出力される。
なお、ステップＳＴ４０，ＳＴ４１の処理は、例えば、図４を用いて説明した処理である。
【００６８】
以上説明したように、通信システム３１によっても、前述した第１実施形態の通信システム１と同様の効果が得られる。
【００６９】
第３実施形態
本実施形態では、位置情報の要求元のユーザが、通信ＩＤを予め知らない不特定の特定の相手との間で、ユーザに関しての属性を示す所定の属性情報を用いて通信を行う場合を例示する。
図１１は、本実施形態の通信システム７１の全体構成図である。
図１１に示すように、本実施形態の通信システム７１は、例えば、携帯電話用通信網２を介して携帯電話装置７４1 ，７４2 ，７４3 および管理装置７５が接続されている。
また、携帯電話装置７４1 ，７４2 ，７４3 は、ＧＰＳ用衛星群３からＧＰＳ用信号を受信する
図１１において、図１と同一符号を付した携帯電話用通信網２およびＧＰＳ用衛星群３は、第１実施形態で説明したものと同じである。
第３実施形態は第６の発明の通信方法に対応しており、管理装置７５が第７の発明の管理装置に対応している。
携帯電話装置７４1 が第６および第７の発明の第１の通信装置に対応し、携帯電話装置７４2 が第６および第７の発明の第２の通信装置に対応している。
【００７０】
以下、図１１に示す携帯電話装置７４1 ，７４2 ，７４3 および管理装置７５について説明する。
〔携帯電話装置７４1 ，７４2 ，７４3 〕
本実施形態では、携帯電話装置７４1 はユーザＡによって使用され、携帯電話装置７４2 はユーザＢによって使用され、携帯電話装置７４3 はユーザＣによって使用される。
図１２は、携帯電話装置７４1 ，７４2 ，７４3 の機能ブロック図である。
図１２に示すように、携帯電話装置７４1 ，７４2 ，７４3 は、例えば、ＧＰＳ用受信部８０、電話用送受信部８１、操作部８２、記憶部８３、処理部８４および表示部８５を有する。
ＧＰＳ用受信部８０は、ＧＰＳ用衛星群３の複数のＧＰＳ用衛星からＧＰＳ用信号を受信し、これを処理部８４に出力する。
電話用送受信部８１は、携帯電話用通信網２を介して、他の携帯電話装置および管理装置７５との間で情報の送受信を行う。電話用送受信部８１が送受信を行う情報は、処理部８４に入出力される。
【００７１】
操作部８２は、ダイヤルボタンや音声などで、後述するように、ユーザが位置情報要求指示および第１の属性情報および第２の属性情報などを入力できる。
ここで、第１の属性情報は、管理装置７５において他の通信装置からの位置情報要求に対して自らの位置情報を提供するか否かを判断するための基準となる当該ユーザの属性を示す情報である。
また、第２の属性情報は、位置情報要求の要求元となった場合に、位置情報を要求する要求先のユーザの属性を示す情報である。
第１の属性情報および第２の属性情報は、例えば、ユーザの性別、年齢、好みなどの個人情報や、ユーザが属する所定のグループを識別する文字や記号などからなる情報である。
【００７２】
処理部８４は、後述するように、操作部８２の操作などに応じて、位置情報要求の生成などを行う。
また、処理部８４は、電話用送受信部８１が受信した位置情報に応じた表示信号の生成などを行う。
表示部８５は、処理部８４が生成した表示信号に応じた画面表示を行う。表示部８５は、表示信号に応じて、画面上の任意の位置に、任意の図形やＪＩＳ第１水準記号を任意の色で表示できる。
【００７３】
〔管理装置７５〕
図１３は、管理装置７５の機能ブロック図である。
図１３に示すように、管理装置７５は、例えば、電話用送受信部９１、処理部９２および記憶部９３を有する。
【００７４】
電話用送受信部９１は、携帯電話装置７４1 ，７４2 から位置情報要求、位置情報、第１の属性情報、第２の属性情報、並びに携帯電話装置７４1 ，７４2 の通信ＩＤなどを受信し、所定の位置情報を携帯電話装置７４1 ，７４2 に送信する。
【００７５】
記憶部９３は、携帯電話装置７４1 ，７４2 から受信した位置情報と、第１の属性情報と、通信ＩＤとを関連付けて記憶する。
【００７６】
処理部９２は、電話用送受信部９１が受信した位置情報要求および第２の属性情報に応じて、当該第２の属性情報に対応する第１の属性情報を持つ位置情報が記憶部９３に記録されている場合に、これを読み出して位置情報要求の要求元に電話用送受信部９１を介して送信するための処理を行う。
【００７７】
以下、通信システム７１の全体動作を図１２に示す携帯電話装置７４1 ，７４2 および図１３に示す管理装置７５の各機能ブロックの処理と関連付けながら説明する。
図１４および図１５は、当該動作を説明するためのフローチャートである。
ステップＳＴ５１：
ユーザＡによる携帯電話装置７４1 の図１２に示す操作部８２の操作に応じて、携帯電話装置７４2 の通信ＩＤと、位置情報要求指示と、管理装置７５において他の通信装置からの位置情報要求に対して自らの位置情報を提供するか否かを判断するための基準となるユーザＡの属性を示す第１の属性情報と、位置情報を要求する要求先のユーザの属性を示す第２の属性情報とが携帯電話装置７４1 に入力される。
また、携帯電話装置７４1 のＧＰＳ用受信部８０で受信されたＧＰＳ用信号に基づいて、携帯電話装置７４1 の位置情報が生成される。
そして、携帯電話装置７４1 の処理部８４の制御に基づいて、携帯電話装置７４1 の位置情報と、上記入力された通信ＩＤ、位置情報要求、第１の属性情報および第２の属性情報とが、電話用送受信部８１および携帯電話用通信網２を介して管理装置７５に送信される。
【００７８】
ステップＳＴ５２：
管理装置７５の電話用送受信部９１において、携帯電話装置７４1 が送信した、携帯電話装置７４1 の位置情報、通信ＩＤ、位置情報要求、第１の属性情報および第２の属性情報が受信される。
そして、処理部９２の制御に基づいて、当該受信された携帯電話装置７４1 の位置情報と、通信ＩＤと、第１の属性情報とが関連付けて記憶部９３に記憶される。
【００７９】
ステップＳＴ５３：
管理装置７５の処理部９２において、ステップＳＴ５１で位置情報要求と共に受信された第２の属性情報に対応する第１の属性情報と関連付けられて記憶されている位置情報があるか否かが判断される。
【００８０】
ステップＳＴ５４：
管理装置７５の処理部９２において、ステップＳＴ５３で記憶されていないと判断された場合にはステップＳＴ５５の処理が行われ、記憶されていると判断された場合にはステップＳＴ５６の処理が行われる。
【００８１】
ステップＳＴ５５：
管理装置７５の処理部９２において、対応する第１の属性情報を持つ携帯電話装置の位置情報が記憶部９３に記憶されていない旨の通知が生成され、当該通知が電話用送受信部９１および携帯電話用通信網２を介して携帯電話装置７４1 に送信される。
【００８２】
ステップＳＴ５６：
管理装置７５の処理部９２によって、ステップＳＴ５１で位置情報要求と共に受信された第２の属性情報に対応する第１の属性情報を持つ位置情報が記憶部９３から読み出され、当該読み出された位置情報が、電話用送受信部９１および携帯電話用通信網２を介して、携帯電話装置７４1 に送信される。
【００８３】
ステップＳＴ５７：
携帯電話装置７４1 の処理部８４において、ステップＳＴ５６で受信した携帯電話装置の位置情報と、ＧＰＳ用受信部８０が受信した複数のＧＰＳ用衛星からのＧＰＳ用信号から得られた携帯電話装置７４1 の位置情報とを用いて、両者の位置関係を示す表示信号が生成される。
【００８４】
ステップＳＴ５８：
携帯電話装置７４1 の処理部８４で生成された表示信号が、表示部８５に出力され、当該位置関係情報に応じた表示画面が表示部８５に出力される。
なお、ステップＳＴ５７，ＳＴ５８の処理は、例えば、図４を用いて説明した処理である。
【００８５】
以上説明したように、通信システム７１によれば、上述したように携帯電話装置７４1 〜７４3 の位置情報を第２の属性情報と関連付けて管理装置７５に記憶することで、自らの位置情報を提供することを許諾した属性を持つユーザの携帯電話装置７４1 〜７４3 に対してのみ自らの位置情報が提供されるようにすることができる。
また、通信システム７１によれば、携帯電話装置７４1 〜７４3 において、第１の属性情報と共に位置情報要求を発生することで、自らが位置情報を希望する属性を持つ不特定のユーザの携帯電話装置の位置情報を得ることができる。
そのため、通信システム７１によれば、属性情報を用いて、ユーザの位置と属性とに応じた効果的な広告やサービスの提供が可能になる。
【００８６】
本発明は上述した実施形態には限定されない。
上述した実施形態では、本発明の通信装置として、携帯電話装置を例示したが、携帯型の通信端末装置、あるいは固定式の通信装置などを用いた場合でも本発明は適用可能である。
また、上述した実施形態では、位置情報取得手段としてＧＰＳ用衛星群３からのＧＰＳ用信号を受信するＧＰＳ用受信部を例示したが、例えば、それ以外の手法で位置情報を取得する場合にも本発明は適用可能である。
【００８７】
第４実施形態
図１６は、本実施形態の通信シスイテム３０１の全体構成図である。
図１６に示すように、本実施形態の通信システム３０１では、例えば、通信網３０２を介して携帯通信装置３０４1 ，３０４2 および位置情報サービス提供装置３０５が接続されている。
また、携帯通信装置３０４1 ，３０４2 は、ＧＰＳ用衛星群３０３からＧＰＳ用情報（本発明の位置検出用信号）を受信する
当該実施形態は、第８、第９、第１１および第１２の発明に対応した実施形態である。
ここで、携帯通信装置３０４1 ，３０４2 が本発明の通信装置に対応し、位置情報サービス提供装置３０５が本発明の位置情報提供装置に対応している。
また、グループＩＤが本発明のグループの識別情報に対応し、通信装置ＩＤが本発明の通信装置の識別情報に対応している。
【００８８】
〔通信網３０２〕
通信網３０２は、基地局、中継装置および交換局などからなる例えば携帯電話用の通信網である。
【００８９】
〔ＧＰＳ用衛星群３０３〕
ＧＰＳ用衛星群３０３は、複数のＧＰＳ用衛星からなり、各ＧＰＳ用衛星が位置特定用のＧＰＳ用情報（本発明の位置情報）を発信している。
【００９０】
〔携帯通信装置３０４1 ，３０４2 〕
本実施形態では、例えば、ユーザ３０９1 が携帯通信装置３０４1 を使用し、ユーザ３０９2 が携帯通信装置３０４2 を使用する。
図１７は、携帯通信装置３０４1 ，３０４2 の機能ブロック図である。
図１７に示すように、携帯通信装置３０４1 ，３０４2 は、例えば、ＧＰＳ用受信部３１０、通信用送受信部３１１、操作部３１２、記憶部３１３、処理部３１４、表示部３１５および音声入力部３１６を有する。
ＧＰＳ用受信部３１０は、ＧＰＳ用衛星群３０３の複数のＧＰＳ用衛星からＧＰＳ用情報を受信し、これを処理部３１４に出力する。
通信用送受信部３１１は、通信網３０２を介して、他の携帯通信装置および位置情報サービス提供装置３０５との間で情報の送受信を行う。通信用送受信部３１１が送受信する情報は、処理部３１４に入出力される。
【００９１】
操作部３１２は、ダイヤルボタンなどで、後述するように、ユーザが所定の情報を入力できる。
【００９２】
記憶部３１３は、内蔵メモリ、あるいは着脱可能に携帯通信装置３０４1 ，３０４2 に装着可能なメモリである。
【００９３】
処理部３１４は、後述するように、操作部３１２の操作および音声入力部３１６から入力された情報などに応じて、グループ登録要求の生成、位置情報登録要求の生成、並びに位置情報要求の生成などを行う。
表示部３１５は、処理部３１４が生成した表示信号に応じた画面表示を行う。表示部３１５は、表示信号に応じて、画面上の任意の位置に、任意の図形やＪＩＳ(Japanese Industrial Standards) 第１水準記号を任意の色で表示できる。
音声入力部３１６は、ユーザが発した音声を入力し、それに応じた音声信号を処理部３１４に出力する。
【００９４】
〔位置情報サービス提供装置３０５〕
図１８は、位置情報サービス提供装置３０５の機能ブロック図である。
図１８に示すように、位置情報サービス提供装置３０５は、例えば、通信用送受信部３２０、記憶部３２１および処理部３２２を有する。
位置情報サービス提供装置３０５は第１１の発明の位置情報提供装置に対応し、通信用送受信部３２０が本発明の送信手段および受信手段に対応し、記憶部３２１が本発明の記憶手段に対応し、処理部３２２が本発明の処理手段に対応している。
【００９５】
通信用送受信部３２０は、携帯通信装置３０４1 ，３０４2 からグループ登録要求、位置登録要求および位置情報要求などを受信し、処理部３２２が生成した情報を携帯通信装置３０４1 ，３０４2 に送信する。
記憶部３２１は、携帯通信装置３０４1 ，３０４2 から受信した情報などを記憶する。
処理部３２２は、通信用送受信部３２０が受信したグループ登録要求、位置登録要求および位置情報要求などの要求に応じて所定の処理を行う。
【００９６】
以下、通信システム３０１の動作例を図１７および図１８に示す携帯通信装置３０４1 ，３０４2 および位置情報サービス提供装置３０５の機能ブロックの処理と関連付けながら説明する。
〔第１の動作例〕
当該動作例では、携帯通信装置３０４1 からのグループ登録要求に応じて、位置情報サービス提供装置３０５が、相互に位置情報の提供を許諾する携帯通信装置３０４1 および３０４2 からなるグループを登録する場合の手順を説明する。
図１９は、当該動作例を説明するためのフローチャートである。
【００９７】
ステップＳＴ１０１：
ユーザ３０９1 による携帯通信装置３０４1 の図１７に示す操作部３１２の操作および音声入力部３１６への音声入力により、例えば、グループ登録指示と、登録しようとするグループに属する複数の携帯通信装置の通信装置ＩＤとが入力される。
これにより、携帯通信装置３０４1 の処理部３１４において、携帯通信装置３０４1 の通信装置ＩＤと、グループに属する複数の携帯通信装置の通信装置ＩＤとを含むグループ登録要求が生成される。
本実施形態では、グループに属する複数の携帯通信装置の通信装置ＩＤとして、例えば、携帯通信装置３０４1 および３０４2 の通信装置ＩＤが用いられる。
【００９８】
ステップＳＴ１０２：
ステップＳＴ１０１で生成されたグループ登録要求が、図１７に示す携帯通信装置３０４1 の通信用送受信部３１１から通信網３０２を介して位置情報サービス提供装置３０５に送信される。
【００９９】
ステップＳＴ１０３：
ステップＳＴ１０２で送信されたグループ登録要求が、図１８に示す位置情報サービス提供装置３０５の通信用送受信部３２０で受信される。
【０１００】
ステップＳＴ１０４：
図１８に示す位置情報サービス提供装置３０５の処理部３２２において、グループＩＤが発行される。
【０１０１】
ステップＳＴ１０５：
ステップＳＴ１０４で発行されたグループＩＤ、ステップＳＴ１０３で受信したグループ登録要求に含まれるグループに属する複数の携帯通信装置の通信装置ＩＤとが関連付けられて図１８に示す位置情報サービス提供装置３０５の記憶部３２１に記憶される。
【０１０２】
ステップＳＴ１０６：
ステップＳＴ１０４で発行されたグループＩＤが、図１８に示す位置情報サービス提供装置３０５の通信用送受信部３２０から通信網３０２を介して携帯通信装置３０４1 に送信される。
【０１０３】
ステップＳＴ１０７：
ステップＳＴ１０６で送信されたグループＩＤが、図１７に示す携帯通信装置３０４1 の通信用送受信部３１１で受信され、表示部３１５に表示される。
ユーザ３０９1 は、例えば、携帯通信装置３０４1 から携帯通信装置３０４2に通信網３０２を介してグループＩＤを送信することで、ユーザ３０９2 にグループＩＤを通知する。
【０１０４】
〔第２動作例〕
当該動作例では、携帯通信装置３０４1 が位置情報サービス提供装置３０５に位置登録要求を送信した場合の手順を説明する。
図２０は、当該動作例を説明するための図である。
ステップＳＴ１１１：
ユーザ３０９1 による携帯通信装置３０４1 の図１７に示す操作部３１２の操作および音声入力部３１６への音声入力により、例えば、位置情報登録指示およびグループＩＤが入力される。
これにより、携帯通信装置３０４1 の処理部３１４において、携帯通信装置３０４1 の通信装置ＩＤと、グループＩＤと、図１７に示すＧＰＳ用受信部３１０が受信したＧＰＳ用情報とを含む位置情報登録要求が生成される。
【０１０５】
ステップＳＴ１１２：
ステップＳＴ１１１で生成された位置情報登録要求が、図１７に示す携帯通信装置３０４1 の通信用送受信部３１１から通信網３０２を介して位置情報サービス提供装置３０５に送信される。
【０１０６】
ステップＳＴ１１３：
ステップＳＴ１１２で送信された位置情報登録要求が、図１８に示す位置情報サービス提供装置３０５の通信用送受信部３２０で受信される。
【０１０７】
ステップＳＴ１１４：
ステップＳＴ１１３で受信した位置情報登録要求に含まれるＧＰＳ用情報が、当該位置情報登録要求に含まれるグループＩＤおよび通信装置ＩＤと関連付けて図１８に示す位置情報サービス提供装置３０５の記憶部３２１に記憶される。
【０１０８】
上述した動作例では、携帯通信装置３０４1 が位置情報サービス提供装置３０５に位置登録要求を送信した場合の手順を説明したが、携帯通信装置３０４2 が位置情報サービス提供装置３０５に位置登録要求を送信した場合の手順も同様である。
【０１０９】
〔第３動作例〕
当該動作例では、携帯通信装置３０４1 が位置情報サービス提供装置３０５に位置情報要求を送信した場合の手順を説明する。
図２１は、当該当該動作例を説明するための図である。
ステップＳＴ１２１：
ユーザ３０９1 による携帯通信装置３０４1 の図１７に示す操作部３１２の操作および音声入力部３１６への音声入力により、例えば、位置情報要求指示が入力される。
これにより、携帯通信装置３０４1 の処理部３１４において、携帯通信装置３０４1 の通信装置ＩＤと、グループＩＤとを含む位置情報要求が生成される。
【０１１０】
ステップＳＴ１２２：
ステップＳＴ１２１で生成された位置情報要求が、図１７に示す携帯通信装置３０４1 の通信用送受信部３１１から通信網３０２を介して位置情報サービス提供装置３０５に送信される。
【０１１１】
ステップＳＴ１２３：
ステップＳＴ１２２で送信された位置情報登録要求が、図１８に示す位置情報サービス提供装置３０５の通信用送受信部３２０で受信される。
【０１１２】
ステップＳＴ１２４：
図１８に示す位置情報サービス提供装置３０５の処理部３２２によって、ステップＳＴ１２３で受信した位置情報登録要求に含まれるグループＩＤと関連付けられて記憶部３２１に記憶されている位置情報に、携帯通信装置３０４1 以外の携帯通信装置の位置情報が有るか否かを判断し、有ると判断した場合にはステップＳＴ１２５の処理に進み、無いと判断した場合にはステップＳＴ１３２の処理に進む。
【０１１３】
ステップＳＴ１２５：
位置情報サービス提供装置３０５の処理部３２２は、ステップＳＴ１２４で位置情報が記憶されていると判断した携帯通信装置３０４1 以外の携帯通信装置の位置情報に対応する位置表示許諾条件情報（本発明の許諾条件情報）を記憶部３２１から読み出し、当該位置表示許諾条件情報によって指定された許諾条件が満たされているか否かを判断する。
前記許諾条件は、例えば、位置情報を提供することを許諾する時間、相手方の通信装置または相手方の属性を指定した情報である。
処理部３２２は、許諾条件が満たされていると判断した場合には、ステップＳＴ１２６の処理に進み、そうでない場合にはステップＳＴ１３２の処理に進む。
【０１１４】
ステップＳＴ１２６：
位置情報サービス提供装置３０５の処理部３２２は、ステップＳＴ１２５で許諾条件が満たされたと判断されたＧＰＳ用情報を、通信用送受信部３２０および通信網３０２を介して、位置情報要求の送信元である携帯通信装置３０４1 に送信する。
本実施形態では、例えば、携帯通信装置３０４2 のＧＰＳ用情報が位置情報サービス提供装置３０５から携帯通信装置３０４1 に送信される。
【０１１５】
ステップＳＴ１２７：
携帯通信装置３０４1 は、ステップＳＴ１２６で位置情報サービス提供装置３０５が送信したＧＰＳ用情報を図１７に示す通信用送受信部３１１で受信する。
【０１１６】
ステップＳＴ１２８：
携帯通信装置３０４1 は、処理部３１４において、ステップＳＴ１２７で受信したＧＰＳ用情報から位置表示用の表示信号を生成し、当該表示信号に応じた位置表示画面を表示部３１５に出力する。
これにより、本実施形態では、例えば、携帯通信装置３０４2 の位置を地図上で特定した位置表示画面が携帯通信装置３０４1 の表示部３１５に出力される。
【０１１７】
ステップＳＴ１２９：
位置情報サービス提供装置３０５の処理部３２２は、携帯通信装置３０４1 のＧＰＳ用情報を、通信用送受信部３２０および通信網３０２を介して、ユーザ３０９1 が指定した許諾条件を満たしたグループ内の他のユーザの携帯通信装置に送信する。
本実施形態では、例えば、携帯通信装置３０４1 のＧＰＳ用情報が位置情報サービス提供装置３０５から携帯通信装置３０４2 に送信される。
【０１１８】
ステップＳＴ１３０：
携帯通信装置３０４2 は、ステップＳＴ１２９で位置情報サービス提供装置３０５が送信したＧＰＳ用情報を図１７に示す通信用送受信部３１１で受信する。
【０１１９】
ステップＳＴ１３１：
携帯通信装置３０４2 は、処理部３１４において、ステップＳＴ１３０で受信したＧＰＳ用情報から位置表示用の表示信号を生成し、当該表示信号に応じた位置表示画面を表示部３１５に出力する。
これにより、本実施形態では、例えば、携帯通信装置３０４1 の位置を地図上で特定した位置表示画面が携帯通信装置３０４2 の表示部３１５に出力される。
【０１２０】
ステップＳＴ１３２：
図１８に示す位置情報サービス提供装置３０５の処理部３２２は、提供可能な位置情報が無い旨の通知を生成し、当該通知を通信用送受信部３２０および通信網３０２を介して、携帯通信装置３０４1 に送信する。
【０１２１】
ステップＳＴ１３３：
図１７に示す携帯通信装置３０４1 は、ステップＳＴ１３２で位置情報サービス提供装置３０５が送信した通知を通信用送受信部３１１で受信する。
【０１２２】
ステップＳＴ１３２：
携帯通信装置３０４1 は、処理部３１４において、ステップＳＴ１３３で受信した通知に応じた表示信号を生成し、当該表示信号に応じた位置表示画面を表示部３１５に出力する。
【０１２３】
以上説明したように、通信システム３０１によれば、許諾を得た複数の通信装置間で、相互に位置情報を提供し合うことができる。
また、通信システム３０１によれば、グループ内の各ユーザが位置表示許諾条件情報によって位置情報の提供を許諾する条件を個別に指定でき、各ユーザ毎にその要求に応じた個別の位置情報提供サービスを行うことができる。
【０１２４】
第５実施形態
図２２は、本実施形態の通信システム１０１の全体構成図である。
図２２に示すように、本実施形態の通信システム１０１では、例えば、通信網３０２を介して携帯通信装置１０４1 ，１０４2 、サービス提供装置１０５および通信制御装置１０６が接続されている。
また、携帯通信装置１０４1 ，１０４2 は、ＧＰＳ用衛星群３０３からＧＰＳ用情報を受信する。
図２２において、図１６と同じ符号を付した通信網３０２およびＧＰＳ用衛星群３０３は、第３実施形態で説明したものと同じである。
サービス提供装置１０５はサービス事業者１０８（本発明のサービス提供装置の管理者）が管理し、通信制御装置１０６は通信事業者１０７（本発明の通信制御装置の管理者）が管理する。
当該実施形態は、第１０および第１３の発明に対応した実施形態である。
携帯通信装置１０４1 ，１０４2 が本発明の通信装置に対応し、サービス提供装置１０５が本発明のサービス提供装置に対応し、通信制御装置１０６が本発明の通信制御装置に対応している。
【０１２５】
〔携帯通信装置１０４1 ，１０４2 〕
図２３は、携帯通信装置１０４1 ，１０４2 の機能ブロック図である。
図２３に示すように、携帯通信装置１０４1 ，１０４2 は、例えば、ＧＰＳ用受信部１１０、通信用送受信部１１１、操作部１１２、記憶部１１３、処理部１１４、表示部１１５および音声入力部１１６を有する。
ＧＰＳ用受信部１１０は、ＧＰＳ用衛星群３０３の複数のＧＰＳ用衛星からＧＰＳ用情報を受信し、これを処理部１１４に出力する。
通信用送受信部１１１は、通信網３０２を介して、他の携帯通信装置および通信制御装置１０６との間で情報の送受信を行う。通信用送受信部１１１が送受信を行う情報は、処理部１１４に入出力される。
【０１２６】
操作部１１２は、ダイヤルボタンなどで、後述するように、ユーザが所定の情報を入力できる。
【０１２７】
記憶部１１３は、内蔵メモリ、あるいは着脱可能に携帯通信装置１０４1 ，１０４2 に装着可能なメモリである。
【０１２８】
処理部１１４は、後述するように、操作部１１２の操作および音声入力部１１６から入力された情報などに応じて、サービス要求の生成などを行う。
表示部１１５は、処理部１１４が生成した表示信号に応じた画面表示を行う。
表示部１１５は、表示信号に応じて、画面上の任意の位置に、任意の図形やＪＩＳ第１水準記号を任意の色で表示できる。
音声入力部１１６は、ユーザが発した音声を入力し、それに応じた音声信号を処理部１１４に出力する。
【０１２９】
〔サービス提供装置１０５〕
図２４は、サービス提供装置１０５の機能ブロック図である。
図２４に示すように、サービス提供装置１０５は、通信用送受信部１２０、記憶部１２１および処理部１２２を有する。
【０１３０】
通信用送受信部１２０は、通信制御装置１０６からＧＰＳ用情報および属性情報などを受信し、処理部１２２が生成したサービス情報を通信制御装置１０６に送信する。
記憶部１２１は、通信制御装置１０６から受信したＧＰＳ用情報および属性情報などを記憶する。
処理部１２２は、通信用送受信部１２０が受信したＧＰＳ用情報および属性情報などを用いてサービス情報を生成する。
【０１３１】
〔通信制御装置１０６〕
図２５は、通信制御装置１０６の機能ブロック図である。
図２５に示すように、通信制御装置１０６は、通信用送受信部２２０、記憶部２２１および処理部２２２を有する。
通信用送受信部２２０は、携帯通信装置１０４1 ，１０４2 からサービス要求を受信し、当該サービス要求に含まれるＧＰＳ用情報および属性情報をサービス提供装置１０５に送信する。また、通信用送受信部２２０は、サービス提供装置１０５から受信したサービス情報を、サービス要求の送信元の携帯通信装置１０４1 ，１０４2 に送信する。
記憶部２２１は、携帯通信装置１０４1 ，１０４2 から受信したサービス要求に含まれるＧＰＳ用情報および属性情報などを記憶する。また、記憶部２２１は、サービスＩＤと、それに対応するサービス提供装置１０５の通信装置ＩＤとの対応表を記憶する。
処理部２２２は、後述するように、通信用送受信部２２０が受信したサービス要求に応じた所定の処理を行う。
【０１３２】
以下、通信システム１０１の動作例を図２３、図２４および図２５に示す携帯通信装置１０４1 ，１０４2 、位置情報サービス提供装置１０５および通信制御装置１０６の機能ブロックの処理と関連付けながら説明する。
図２６および図２７は、当該動作例を説明するためのフローチャートである。
ステップＳＴ１４１：
ユーザ１０９1 による携帯通信装置１０４1 の図２３に示す操作部１１２の操作および音声入力部１１６への音声入力により、例えば、サービス要求指示と、ユーザ１０９1 の属性情報と、希望するサービスのサービスＩＤとが入力される。
ここで、属性情報は、特に限定されないが、例えば、サービスを要求する際に必要な情報、ユーザ１０９1 の個人情報、自らの情報を提供することを許諾する相手の属性の条件などである。
これにより、携帯通信装置１０４1 の処理部１１４において、携帯通信装置１０４1 の通信装置ＩＤと、ＧＰＳ用受信部１１０が受信したＧＰＳ用情報と、ユーザ１０９1 の属性情報と、サービスＩＤとを含むサービス要求が生成される。
【０１３３】
ステップＳＴ１４２：  
ステップＳＴ１４１で生成されたサービス要求が、図２３に示す携帯通信装置１０４1 の通信用送受信部１１１から通信網３０２を介して通信制御装置１０６に送信される。
【０１３４】
ステップＳＴ１４３：
ステップＳＴ１４２で送信されたサービス要求が、図２５に示す通信制御装置１０６の通信用送受信部２２０で受信される。
【０１３５】
ステップＳＴ１４４：
ステップＳＴ１４３で受信されたサービス要求に含まれる通信装置ＩＤと、ＧＰＳ用情報と、属性情報と、サービスＩＤとが関連付けられて図２５に示す通信制御装置１０６の記憶部２２１に記憶される。
【０１３６】
ステップＳＴ１４５：
図２５に示す通信制御装置１０６の処理部２２２において、記憶部２２１に記憶されている対応表に基づいて、サービス要求に含まれるサービスＩＤに対応するサービス提供装置１０５の通信装置ＩＤが特定される。
【０１３７】
ステップＳＴ１４６：
図２５に示す通信制御装置１０６の通信用送受信部２２０から、通信網３０２を介して、ステップＳＴ１４５で特定されたサービス提供装置１０５に、サービス要求に含まれるＧＰＳ用情報および属性情報が送信される。
【０１３８】
ステップＳＴ１４７：
ステップＳＴ１４６で送信されたＧＰＳ用情報および属性情報が、図２４に示すサービス提供装置１０５の通信用送受信部１２０で受信される。
【０１３９】
ステップＳＴ１４８：
図２４に示すサービス提供装置１０５の処理部１２２において、ステップＳＴ１３７で受信した携帯通信装置１０４1 のＧＰＳ用情報および属性情報を用いてサービス情報が生成される。
例えば、処理部１２２は、属性情報内に歩いて１０分以内の場所で、５人で食事ができる中華料理店の情報を要求する旨の記載がある場合に、サービス要求に含まれるＧＰＳ用情報によってユーザ１０９1 の位置を特定し、当該特定した位置を基準に上記要求を満たす中華料理店の情報を記憶部１２１から検索し、その検索結果を含むサービス情報を生成する。
【０１４０】
ステップＳＴ１４９：
図２４に示すサービス提供装置１０５の通信用送受信部１２０から、ステップＳＴ１４８で生成されたサービス情報が通信網３０２を介して通信制御装置１０６に送信される。
【０１４１】
ステップＳＴ１５０：
ステップＳＴ１４９で送信されたサービス情報が図２５に示す通信制御装置１０６の通信用送受信部２２０で受信される。
【０１４２】
ステップＳＴ１５１：
図２５に示す通信制御装置１０６は、ステップＳＴ１５０で受信したサービス情報を通信網３０２を介して、当該サービス要求の送信元の携帯通信装置１０４1 に送信する。
【０１４３】
ステップＳＴ１５２：
ステップＳＴ１５１で送信されたサービス情報が、図２３に示す携帯通信装置１０４1 の通信用送受信部１１１で受信される。
【０１４４】
ステップＳＴ１５３：
図２３に示す携帯通信装置１０４1 の表示部１１５に、ステップＳＴ１５２で受信したサービス情報が表示される。
【０１４５】
ステップＳＴ１５４：
図２４に示すサービス提供装置１０５の処理部１２２は、ステップＳＴ１４９で受信した属性情報を用いてマーケティング情報を作成する。
【０１４６】
ステップＳＴ１５５：
ステップＳＴ１５４で生成されたマーケティング情報は、図２４に示すサービス提供装置１０５の記憶部１２１に記憶される。
【０１４７】
以上説明したように、通信システム１０１によれば、サービス提供装置１０５は、サービス要求と共に、ユーザ１０９1 ，１０９2 の属性情報およびＧＰＳ用情報を得ることができるため、ユーザ１０９1 ，１０９2 の属性および位置に応じた適切なサービス情報をユーザ１０９1 ，１０９2 に提供できる。
また、通信システム１０１によれば、携帯通信装置１０４1 ，１０４2 からのサービス要求のうち、通信装置ＩＤを除く、ＧＰＳ用情報および属性情報が、通信制御装置１０６からサービス提供装置１０５に送信されるため、サービス提供装置１０５は、携帯通信装置１０４1 ，１０４2 の通信装置ＩＤを知ることはできない。そのため、ユーザ１０９1 ，１０９2 のプライバシーがサービス事業者１０８に漏れることを防止できる。
【０１４８】
以下、通信システム１０１における課金処理について説明する。
図２８は、通信システム１０１における課金処理を説明するための図である。
通信制御装置１０６は、例えば、ユーザ１０９1 がサービス事業者１０８によるサービスを利用することを登録したときに（ステップＳＴ１６１）に、ユーザ１０９1 に対して課金処理を行う（ステップＳＴ１６２）。
また、通信制御装置１０６は、サービス事業者１０８が、サービスの提供のために通信事業者１０７の設備を利用することを登録したときに（ステップＳＴ１６３）、サービス事業者１０８に対して課金処理を行う（ステップＳＴ１６２）。
【０１４９】
また、サービス事業者１０８は、ユーザ１０９1 がサービス事業者１０８によるサービスを利用することを登録したときに、ユーザ１０９1 に対して課金処理を行ってもよい（ステップＳＴ１６４）。
ユーザ１０９1 は、通信事業者１０７およびサービス事業者１０８による課金処理に対して支払いを行う（ステップＳＴ１６５）。
【０１５０】
また、通信事業者１０７は、ユーザ１０９1 によるサービスの利用毎に従量制でユーザ１０９1 に課金処理を行ってもよい（ステップＳＴ１６６）。
また、サービス事業者１０８は、ユーザ１０９1 によるサービスの利用毎に従量制でユーザ１０９1 に課金処理を行ってもよい（ステップＳＴ１６７）。このとき、通信事業者１０７が、サービス事業者１０８による課金を代行してもよい（ステップＳＴ１６８）。
ユーザ１０９1 は、通信事業者１０７およびサービス事業者１０８による課金処理に対して支払いを行う（ステップＳＴ１６９）。
当該課金において、通信事業者１０７は、サービス提供装置１０５によるサービスによって得られたユーザ１０９1 の属性情報の一部または全部を、通信事業者１０７が得ることを条件に、通信事業者１０７がサービス事業者１０８に課金する金額を割り引いてもよい。
【０１５１】
以下、携帯通信装置１０４1 ，１０４2 において前述した図２６に示すステップＳＴ１４１で属性情報を入力する際に用いられるテンプレートデータについて説明する。
ステップＳＴ１４１では、例えば、携帯通信装置１０４1 の表示部１１５に、図２９に示すユーザ送信用テンプレートデータｔに応じた画面が表示される。
図２９に示すように、ユーザ送信用テンプレートデータｔに応じた画面は、通信事業者用テンプレートデータｔａに応じた画面と、サービス事業者用テンプレートデータｔｂに応じた画面とで構成される。
図２９に示す各項目の左側には、当該項目の内容を他人に公表することを許諾するか否かをユーザが指定するための指定用枠が設けられている。
【０１５２】
図３０は、図２９に示すユーザ送信用テンプレートデータｔが携帯通信装置１０４1 に送信される手順を説明するための図である。
ステップＳＴ１８１：
図２４に示すサービス提供装置１０５の処理部１２２において、図２９に示すサービス事業者用テンプレートデータｔｂが生成される。サービス事業者用テンプレートデータｔｂには、サービス事業者１０８がサービスを提供するにあたって必要な属性情報を入力するための項目を示す情報が含まれている。
【０１５３】
ステップＳＴ１８２：
ステップＳＴ１８１で生成されたサービス事業者用テンプレートデータｔｂが、図２４に示すサービス提供装置１０５の通信用送受信部１２０から、通信網３０２を介して、通信制御装置１０６に送信される。
【０１５４】
ステップＳＴ１８３：
ステップＳＴ１８２で送信されたサービス事業者用テンプレートデータｔｂが、図２５に示す通信制御装置１０６の通信用送受信部２２０で受信される。
【０１５５】
ステップＳＴ１８４：
図２５に示す通信制御装置１０６の処理部２２２において、図２９に示す通信事業者用テンプレートデータｔａが生成される。
【０１５６】
ステップＳＴ１８５：
通信制御装置１０６の処理部２２２において、ステップＳＴ１８４で生成された通信事業者用テンプレートデータｔａと、ステップＳＴ１８３で受信したサービス事業者用テンプレートデータｔｂとが合成されてユーザ送信用テンプレートデータｔが生成される。
【０１５７】
ステップＳＴ１８６：
ステップＳＴ１８５で生成されたユーザ送信用テンプレートデータｔが、図２５に示す通信制御装置１０６の通信用送受信部２２０から、通信網３０２を介して、携帯通信装置１０４1 に送信される。
【０１５８】
ステップＳＴ１８７：
ステップＳＴ１８６で送信されたユーザ送信用テンプレートデータｔが、図２３に示す携帯通信装置１０４1 の通信用送受信部１１１で受信される。
当該ユーザ送信用テンプレートデータｔは、例えば、図２３に示す記憶部１１３に記憶される。
【０１５９】
ステップＳＴ１８８：
図２３に示す携帯通信装置１０４1 の処理部１１４によって、記憶部１１３からユーザ送信用テンプレートデータｔが読み出され、それに応じた画面が表示部１１５に表示される。
【０１６０】
ステップＳＴ１８９：
ユーザ１０９1 は、表示部１１５に表示された画面に従って、属性情報を入力する。
ここで、記憶部１１３に記憶されたユーザ送信用テンプレートデータｔは、属性情報の入力に際して複数回使用されてもよい。
【０１６１】
図２９に示すユーザ送信用テンプレートデータｔに従って入力された属性情報は、前述したように、サービス要求と共に、携帯通信装置１０４1 から通信制御装置１０６に送信される。そして、通信事業者用テンプレートデータｔａが図２５に示す通信制御装置１０６の記憶部２２１に記憶され、サービス事業者用テンプレートデータｔｂのみがサービス提供装置１０５に送信される。
なお、図３０に示す例では、サービス事業者用テンプレートデータｔｂおよび通信事業者用テンプレートｔａを一体として通信制御装置１０６から携帯通信装置１０４1 に送信する場合を例示したが、これらはそれぞれサービス提供装置１０５および通信制御装置１０６から携帯通信装置１０４1 に個別に送信されてもよい。
【符号の説明】
【０１６２】
１…通信システム、２…携帯電話用通信網、３…ＧＰＳ用衛星群、４1 ，４2
，３４1 ，３４2 ，７４1 ，７４2 ，７４3 …携帯電話装置、１０，４０，８０…ＧＰＳ用受信部、１１，４１，８１…電話用送受信部、１２，４２，８２…操作部、１３，４３，８３…記憶部、１４，４４，８４…処理部、１５，４５，８５…表示部、３５，７５…管理装置、５１，９１…電話用送受信部、５２，９２…処理部、５３，９３…記憶部
３０１，１０１…通信システム、３０２…通信網、３０３…ＧＰＳ用衛星群、３０４1 ，３０４2 ，１０４1 ，１０４2 …携帯通信装置、３０５…位置情報サービス提供装置、３１０，１１０…ＧＰＳ用受信部、３１１，１１１…通信用送受信部、３１２，１１２…操作部、３１３，１１３…記憶部、３１４，１１４…処理部、３１５，１１５…表示部、３１６，１１６…音声入力部、３２０，１２０，２２０…通信用送受信部、３２１，１２１，２２１…記憶部、３２２，１２２，２２２…処理部、１０５…サービス提供装置、１０６…通信制御装置
【図１】
2010213304.tif 000003
【図２】
2010213304.tif 000004
【図３】
2010213304.tif 000005
【図４】
2010213304.tif 000006
【図５】
2010213304.tif 000007
【図６】
2010213304.tif 000008
【図７】
2010213304.tif 000009
【図８】
2010213304.tif 000010
【図９】
2010213304.tif 000011
【図１０】
2010213304.tif 000012
【図１１】
2010213304.tif 000013
【図１２】
2010213304.tif 000014
【図１３】
2010213304.tif 000015
【図１４】
2010213304.tif 000016
【図１５】
2010213304.tif 000017
【図１６】
2010213304.tif 000018
【図１７】
2010213304.tif 000019
【図１８】
2010213304.tif 000020
【図１９】
2010213304.tif 000021
【図２０】
2010213304.tif 000022
【図２１】
2010213304.tif 000023
【図２２】
2010213304.tif 000024
【図２３】
2010213304.tif 000025
【図２４】
2010213304.tif 000026
【図２５】
2010213304.tif 000027
【図２６】
2010213304.tif 000028
【図２７】
2010213304.tif 000029
【図２８】
2010213304.tif 000030
【図２９】
2010213304.tif 000031
【図３０】
2010213304.tif 000032